(57)【要約】      （修正有）【課題】光源の交換並びに組立が容易となるＬＥＤ発光モジュールを提供する。【解決手段】ＬＥＤ発光モジュールは、光源モジュール１と、放熱装置２と、コンセント定位フレーム構造３と、を含み、光源モジュールは、回路基板１１の一側の支持面上に発光ダイオード１２及び接続端子１３を設け、回路基板外側に収容杯部１４を形成し、且つ収容杯部及び発光ダイオード上部表面にレンズ１５を成型し、収容杯部外側周辺に接続部を設け、放熱装置の基台底側の結合部の下方接触面は、回路基板他側の支持面に貼合せて、放熱を補助する。又、コンセント定位フレーム構造二側にそれぞれ外向きに延伸する第１、第２接合部により接続部、結合部と組み合わせ結合後、一体になり、この種の分離構造が光源モジュールの長時間使用後の損壊、交換の問題を解決する。且つ任意に消耗材方式で交換使用し、光源モジュール及びコンセント定位フレーム構造の間に防水パッドリング１７を被せ定位し、緊密貼合状態を呈し、良好な防水効果を達成できる。【選択図】図２
0003160935.tif 000002
【実用新案登録請求の範囲】
【請求項１】
光源モジュールと、放熱装置と、コンセント定位フレームと、を含み、そのうち、
該光源モジュールが回路基板を有し、回路基板二側表面にそれぞれ支持面を形成し、且つ一側支持面上に少なくとも１つ以上の発光ダイオードを設け、回路基板外側に発光ダイオードを露出させる収容杯部を成型し、且つ収容杯部及び発光ダイオード上部表面上にレンズを成型し、収容杯部外側周辺に接合部を設け、
該放熱装置は、基台を有し、基台底側に結合部及びその下方の回路基板他側の支持面上に貼合できる接触面を設け、
該コンセント定位フレーム構造は、中空内部に回路基板を露出させることができる孔を形成し、コンセント定位フレーム二側周辺箇所にそれぞれ外向きに接合部、結合部と組み立て一体に結合することができる第１接合部、第２接合部を延伸してなるＬＥＤ発光モジュール。
【請求項２】
該光源モジュールの回路基板一側の支持面上に発光ダイオード及びその外側の２つ以上の接続端子を設け、コンセント定位フレームの孔の対応する外側に接続端子内に挿入して電気通導を形成することができる２つの電源プラグ端子を設け、且つ電源プラグ端子は、放熱装置基台上部上に組み立てることができる電源制御モジュールを電気接続し、その電源制御モジュールが備える制御回路上に挿入接続部を設け、挿入接続部内に導線を有するコネクタを挿入接続し、且つ導線が電源プラグ端子上に電気接続し、制御回路板外側に殻体を被覆し、且つ殻体及び基台上部の間に防水パッドリングを設け、光源モジュールの収容杯部外側周辺の接続部上に環形嵌合溝を設け、コンセント定位フレーム構造の第１接合部上に嵌合溝と相対嵌合定位を呈する弾性フック片を設け、収容杯部底部の回路基板外側表面上に防水パッドリングを套接定位できる環溝を設け、且つ回路基板の他側の表面及び放熱装置の結合部の下方の接触面の間に導熱係数の高い導熱片を設けることができる請求項１記載のＬＥＤ発光モジュール。
【請求項３】
前記放熱装置の垂直軸式基台上に直立状の複数のフィンを環状に設け、基台底側の結合部上に環形嵌合溝を設け、コンセント定位フレーム構造の第２接合部表面上に嵌合溝と相対嵌合定位を呈する弾性フック片を設ける請求項１記載のＬＥＤ発光モジュール。
【請求項４】
前記コンセント定位フレーム構造及び放熱装置底側の結合部の間に防水剤を塗布し、コンセント定位フレーム構造及び光源モジュール上にスリーブを套接し、且つスリーブ内部の収容空間内壁面に套接部を設け、収容空間一側の開口に内側に係止面を形成し、コンセント定位フレーム構造外側周辺上に套接部を結合定位させることができる定位部を設け、その套接部及び定位部は、相互に嵌合できる嵌合凸部、嵌合溝又は鎖結合する内ねじ山、外ねじ山であることができ、光源モジュールが設ける収容杯部外側周辺上に係止面と係止定位を形成できる環凸部を設ける請求項１記載のＬＥＤ発光モジュール。
【請求項５】
回路基板と、発光ダイオードと、接続端子と、を含み、そのうち、回路基板一側の支持面上に少なくとも１つの発光ダイオード及びその外側に２つ以上の接続端子を設け、回路基板外側に発光ダイオード及び接続端子を露出させることができる収容杯部を成型し、且つ収容杯部及び発光ダイオード上部表面にレンズを成型し、収容杯部外側周辺に接続部を設けるＬＥＤ発光モジュール。
【請求項６】
前記収容杯部上にコンセント定位フレーム構造を結合し、コンセント定位フレーム構造中空内部に回路基板を露出させることができる孔を形成し、且つコンセント定位フレーム構造外側周辺に外向きに接続部と組み立て結合できる第１接合部を延伸し、収容杯部外側周辺の接続部表面上に環形嵌合溝を設け、コンセント定位フレーム構造の第１接合部上に嵌合溝と対応嵌合定位を呈する弾性フック片を設け、収容杯部底部の回路基板外側に相対する表面上に防水パッドリングを被せ設け定位させることができる環溝を凹設する請求項５記載のＬＥＤ発光モジュール。
【請求項７】
前記コンセント定位フレームの孔外側周辺に環形回路板を設け、且つ環形回路板表面上に電源制御モジュールに電気接続を形成させる電源プラグ端子を相対して設け、且つ２つの電源プラグ端子は、回路基板上の接続端子内に突き合わせ挿入接続し、電気通導を形成する請求項６記載のＬＥＤ発光モジュール。
【考案の詳細な説明】
【技術分野】
【０００１】
本考案は、光源モジュールの回路基板外側に収容杯部を成型し、且つ収容杯部及び発光ダイオード上部にレンズを成型し、放熱装置とコンセント定位フレーム構造を利用して、組み立て結合後に一体になり、光源モジュールを消耗材方式で交換使用できるようにし、且つ発光効果又は構造安定性においていずれも良好な信頼性を有するＬＥＤ発光モジュールに関する。
【背景技術】
【０００２】
一般に灯具の種類及びそれが発生する発光型式は、相当多く、市場によく見られ且つ各分野に広範囲に使用される発光ダイオード（Light emitting Diode，LED）を例とすれば、良好な光電変換効率、波長が固定している、及び光量、光質の調整が可能である等の特性を有する以外に、更に体積が小さく、低熱量且つ使用寿命が長いという利点を有し、各式の嵌め込み灯、ヘッドライト又はデスクライト等の灯具に適用し使用することができる。
【０００３】
しかしながら、市場で使用されるＬＥＤは、使用寿命及び信頼性が温度の影響を受け、ハイパワーＧａＮ型発光ダイオードを例とし、発光ダイオードが電力を受けた後、２０％〜３０％の電力を光エネルギーに変換し、明るい光の投射を発生し、その残りの７０％〜８０％は、熱エネルギーに変換され、外表面に拡散し、排出され、その発光ダイオード、制御モジュール及び電源供給装置等の全体がいずれも灯具構造内部に組み込まれる時、熱エネルギーを好適に放出する措置を設置していないことにより、発光ダイオードが累積され、その温度が上昇した熱エネルギーを迅速に排出することができなくなり、発光ダイオードの使用寿命に影響を及ぼし易く、更には、内部チップが過度の熱により焼損等の欠陥が発生し、製品の歩留まりを低下させ、且つコストを浪費する。
【０００４】
また、上記ＬＥＤ灯具を使用時、発光ダイオード、制御モジュール及び放熱装置等は、何れも同一主体上に整合され、既定の規格に基づき製造出荷され、使用者の使用要求に応じ、任意に置換することができず、その適用性及び実用性は、相当に有限であり、且つ発光ダイオードの長時間の使用後、使用寿命がつきて交換が必要となる時、重複して組み立て、分解を行なうことができず、使用上の不便及び困難を招き、又は、その放熱装置型式に応じて異なる演色性、明度、発光効率規格又は異なる数量の発光ダイオードの使用を組み合わせることができず、使用者がＬＥＤ灯具全体を淘汰交換しなくてはならず、別途購入設置のコストを大幅に増加し、経済効果の考慮に適合しない。
【０００５】
更に、一般の市場の灯具のほとんどは、防水機能を有しておらず、密封不良により、屋外で使用時に雨により湿気、水分が進入するか、灰塵が灯管内部に累積し、発光ダイオードが一定時間使用した後、ショート、故障又は損壊等の欠陥が発生し易い以外に、漏電し、使用者の安全に危害する可能性があるので、上記従来の欠陥を如何に解決するかは、当業者が研究改善の方向を欲するところである。
【考案の概要】
【考案が解決しようとする課題】
【０００６】
考案者は、上記の問題及び欠陥に鑑み、関連資料を収集し、多方面の評価及び考慮を経て、長年の研究開発、実験、絶え間ない試作及び修正を行ない、本ＬＥＤ発光モジュールを設計するものである。
【０００７】
本考案の目的は、光源モジュール及び放熱装置をコンセント定位フレーム構造により簡易な組み立て、迅速な分解を行い、分離組み立て構造状態を形成し、光源モジュールの長時間の使用後の損壊、交換の問題を解決し、使用者の異なる要求又はその放熱装置の型式に応じて、異なる規格又は異なる数量の発光ダイオードを有する光源モジュールを任意に置き換えるか、組み合わせ、光源モジュールが任意に消耗材の方式で交換使用でき、その全体が発光効果又はその構造安定性においていずれも好適な信頼性を有するようにすることにある。
【０００８】
本考案のもう１つの目的は、光源モジュールが有する収容杯部底部の環溝内に防水パッドリングを被せ設け、且つコンセント定位フレーム構造が孔外側表面上に配置され、防水、粘着機能を有する防水剤を塗布することもでき、光源モジュール及び放熱装置、コンセント定位フレーム構造の相互の間に緊密に貼合した状態を呈させ、密封不良により水、湿気が進入又は灰塵、雑質が進入して、光源モジュールに短絡、故障又は損壊等の欠陥が発生することを防止し、良好な防水及び防塵、防雑質等の効果を達成することである。
【０００９】
本考案のもう１つの目的は、光源モジュールが有する回路基板が放熱装置基台底側上の結合部と係止を形成し、その回路基板上の発光ダイオードの発光時に発生する熱量を回路基板の二側に形成する係止面及び結合部下方の接触面を介して良好な熱伝導効果を備える基台上に伝導し、基台が備える複数のフィンを利用し、放熱面積を増加し、同時に熱量を周囲に迅速に排出し、冷却し、温度を低減し、熱量が累積し発光ダイオード内部に集中し、使用機能に影響する又は過度の熱で焼損することを回避し、これにより光源モジュール全体の使用寿命を延長する効果を達成することにある。
【００１０】
本考案のもう１つの目的は、光源モジュールが有する回路基板の外側に発光ダイオード及び接続端子を露出させることができる収容杯部を成型し、且つ収容杯部及び発光ダイオード上部表面上にオーバーモールド方式を利用し、レンズを二次パッケージ成型し、その内部に隙間が無いようにし、光線が空気、レンズ、異なる媒質を介して起こる屈折、全反射、光の減衰等の現象を減少し、発光ダイオードのレンズ方向へ投射する光の通過量を向上し、レンズの設計により光源モジュールが均一に外向きの発光を発生する適用光源を確保することである。
【課題を解決するための手段】
【００１１】
本考案が提供するＬＥＤ発光モジュールは、光源モジュール、放熱装置、及び二者上に結合できるコンセント定位フレーム構造から構成され、そのうち、該光源モジュールが回路基板を有し、回路基板二側に支持面を形成し、且つ一側支持面上に少なくとも１つ以上の発光ダイオードを設け、回路基板外側に発光ダイオードを露出させる収容杯部を成型し、且つ収容杯部及び発光ダイオード上部表面上にレンズを成型し、収容杯部外側周辺に接合部を設け、該放熱装置は、基台を有し、基台底側に結合部及びその下方の回路基板他側の支持面上に貼合できる接触面を設け、該コンセント定位フレーム構造は、中空内部に回路基板を露出させることができる孔を形成し、コンセント定位フレーム二側にそれぞれ外向きに接合部、結合部と組み立て一体に結合することができる第１接合部、第２接合部を延伸してなる。
【考案の効果】
【００１２】
本考案のＬＥＤ発光モジュールは、光源モジュール及び放熱装置をコンセント定位フレーム構造により簡易な組み立て、迅速な分解を行い、分離組み立て構造状態を形成し、光源モジュールの長時間の使用後の損壊、交換の問題を解決し、使用者の異なる要求又はその放熱装置の型式に応じて、異なる規格又は異なる数量の発光ダイオードを有する光源モジュールを任意に置き換えるか、組み合わせ、光源モジュールが任意に消耗材の方式で交換使用でき、その全体が発光効果又はその構造安定性においていずれも好適な信頼性を有する。
【図面の簡単な説明】
【００１３】
【図１】本考案の立体外観図である。
【図２】本考案の立体分解図である。
【図３】本考案の組み立て時の側面断面図である。
【図４】本考案の組み立て後の側面断面図である。
【図５】本考案の図４の局部側面断面図である。
【図６】本考案の好適実施例の組み立て時の側面断面図である。
【図７】本考案の好適実施例の組み立て後の局部側面断面図である。
【図８】本考案の好適実施例の側面断面図である。
【考案を実施するための形態】
【００１４】
上記の目的及び構造を達成する為に本考案が採用する技術手段及びその効果を分かり易くする為、図面に併せ、本考案の好適実施例を挙げ、そのステップ及び機能を以下に説明する。
【００１５】
図１〜図５は、本考案の立体外観図、立体分解図、組み立て時の側面断面図、組み立て後の側面断面図、図４の局部側面断面図であり、図から分かるように、本考案は、光源モジュールと、放熱装置２と、コンセント定位フレーム構造３と、電源制御モジュール４と、を含み、本考案の主要構成部材及び特徴の詳細は、後に記載するとおりである。
【００１６】
該光源モジュール１は、回路基板１１を有し、回路基板１１二側表面上にそれぞれ支持面１１１を形成し、且つ一側に位置する支持面１１１上に回路配線を有する回路層１１２を成型し、回路層１１２表面上に少なくとも１つ以上の発光ダイオード１２を設け、その相対する外側に２つ以上の接続端子１３を設ける。また、回路基板１１外側にオーバーモールド（Over molding）方式を利用し、発光ダイオード１２及び２つの接続端子１３を露出させることができる収容杯部１４を一体にパッケージ成型し、且つ収容杯部１４及び発光ダイオード１２上部表面上にオーバーモールド方式を利用し、レンズ１５を二次パッケージ成型する。収容杯部１４外側周辺箇所に接続部１６を設け、且つ接続部１６表面上に環形嵌合溝１６１を設ける。また、収容杯部１４底部の回路基板１１に相対する外側表面上に防水パッドリング１７を被せ設け定位させることができる環溝１７１を凹設する。
【００１７】
該放熱装置２は、垂直軸式を呈する基台２１を有し、基台２１上に直立状の複数のフィン２１１を環設し、基台２１底側に環形フック溝２２１を備える結合部２２を設け、且つ結合部２２下方に回路基板１１の他側の支持面１１１と係止定位を形成することができる接触面２２２を形成し、更に、基台２１側辺に垂直に溝孔２３を設ける。
【００１８】
該コンセント定位フレーム３は、中空内部に回路基板１１を露出させることができる孔３１を形成し、孔３１の相対する外側に正、負電極の２つの電源プラグ端子３２を設け、コンセント定位フレーム構造３上下二側周辺にそれぞれ外向きに延伸する少なくとも３つ以上の間隔を置いて配列された第１接合部３３と、第２接合部３４を延伸し、且つ第１接合部３３、第２接合部３４表面上にそれぞれフック状の弾性フック片３３１，３４１を設け、弾性フック片３３１，３４１によりそれぞれ接続部１６の嵌合溝１６１、結合部２２のフック溝２２１と相対する嵌合定位を呈し、コンセント定位フレーム構造３により光源モジュール１及び放熱装置２を組み立て結合した後、一体となることができる。
【００１９】
該電源制御モジュール４は、制御回路板４１を有し、制御回路板４１表面に複数の電子部材及び挿入接続部４２を設け、挿入接続部４２上は、導線４３１を有するコネクタ４３を電気接続する為、その導線４３１を基台２１内部の溝孔２３に貫通させた後、コンセント定位フレーム構造３の孔３１の相対する外側の正、負電極電源プラグ端子３２に電気接続する。また、制御回路板４１の外側は、殻体４４で覆い、且つ殻体４４及び基台２１上部の間に防水パッドリング４５を被せ設け定位させることができる環溝４５１を設ける。
【００２０】
上記光源モジュール１の回路基板１１は、銅ベース回路板、アルミベース回路板、鉄ベース回路板、セラミック被覆銅基板（High Conduction Substrate, HCS）又はその他の高導熱係数の回路板であることができ、且つ発光ダイオード１２は、収容杯部１４内にパッケージされたハイパワーチップ、複数の低効率チップ又は異なる色を有する発光チップ等であることができ、更に表面粘着技術（ＳＭＴ）又はスルーホール（Through hole）等の方式を利用し、その二側のピンを回路層１１２上に溶接し、電気接続を形成し、回路層１１２が備える回路配線を介して直列又は並列方式で接続端子１３と電気接続することができる。また、回路基板１１の収容杯部１４の他側に対応する支持面１１１及び放熱装置２の結合部２２の下方接触面の間に高導熱係数の導熱片１１３（Thermal Pad）を設け、電源制御モジュール４が備える制御回路板４１底面と放熱装置２の基台２１上部の間に導熱片４１２を設けることもでき、導熱媒介として用い、熱伝導効率を強化し、発光ダイオード１２が発生する熱量を回路板基板１１を介して迅速に吸収した後、導熱片４１２を利用し、放熱装置２上に平均的に熱伝導し、対外放熱の進行を補助する。
【００２１】
本考案の組み立て時、先ず、コンセント定位フレーム構造３を放熱装置２と組み立て、その第２接合部３４を基台２１底側の結合部２２方向に入れ、第２接合部３４表面が備える弾性フック片３４１により結合部２２上のフック溝２２１内にフックし、相対嵌合定位を呈させた後、同時に孔３１内側に露出した回路基板１１の支持面１１１を結合部２２下方の接触面２２２と貼合し、且つコンセント定位フレーム構造３の孔３１及び外側第２接合部３４の間に位置する表面上に巻き付け塗布する防水、粘着機能を有する防水剤３５（Silicon）を介して、コンセント定位フレーム構造３に放熱装置２との間で緊密貼合状態を呈させ、良好な防水機能及び防塵、防雑質効果を達成する。
【００２２】
その後、コンセント定位フレーム構造３を光源モジュール１と組み立て、その第１接合部３３を収容杯部１４の方向に入れ、弾性フック片３３１で収容杯部１４外側の接続部１６上の嵌合溝１６１に嵌合し、相対嵌合定位を呈させた後、同時に孔３１の相対する外側の２つの正、負電極電源プラグ端子３２を回路基板１１上の接続端子１３内に突き合わせ挿入し、電気通導を形成し、且つ回路基板１１を孔３１内側に露出させ、更に、収容杯部１４底部の環溝１７１内に被せ設ける防水パッドリング１７を介して光源モジュール１及びコンセント定位フレーム構造３の間に定位し、緊密貼合状態を呈させ、密封不良で水、湿気が進入する、又は灰塵、雑質が収容杯部１４内部に進入し、光源モジュール１全体に短絡、故障又は損壊等の欠陥が発生することを防止する。
【００２３】
上記本考案の好適実施例は、コンセント定位フレーム構造３により二側にそれぞれ外向きに延伸する第１接合部３３、第２接合部３４を利用し、光源モジュール１の接続部１６、放熱装置２の結合部２２上にフックし、一体に組み立て結合するが、本考案の応用時は、これに限定するものではなく、その組み立て結合方式は、鎖合方式を利用することもでき、定位部材によりそれぞれ順に第１接合部３３又は第２接合部３４上の耳孔を貫通した後、更に接続部１６、結合部２２上に備える固定孔内に鎖入し、一体に鎖接固定してなることもでき、従って、この例を運用する本考案の明細書及び図面の内容の簡易な修飾及び同等効果をなす構造変化は、何れも本考案の権利範囲内に含まれるべきである。
【００２４】
電源制御モジュール４は、放熱装置２基台２１上部の位置に組み込まれ、殻体４４表面上に複数の通孔４４１を設け、即ち、定位部材４４２を利用し、通孔４４１及び制御回路板４１表面上の貫通孔４１１を貫通した後、基台２１上部の対応する鎖孔２１２内に鎖入し、定位され、制御回路板４１、殻体４４を基台２１上部上方に一体に固定し、且つ殻体４４表面中央は、外部電源挿入孔４４３を設けることもでき、外部電源装置上に備える電源ケーブルを外部電源挿入孔４４３内に挿入し、更に、制御回路板４１と電気接続を形成する。
【００２５】
使用時、制御回路板４１の挿入接続部４２上に挿入接続したコネクタ４３が導線４３１を介してコンセント定位フレーム構造３の正、負電極電源プラグ端子３２に電機接続し、電源プラグ端子３２を回路基板１１上の接続端子１３と突き合わせ挿入接続し、電気通導を形成し、このように、電源制御モジュール４により光源モジュール１全体が必要な電量を供給することができ、発光ダイオード１２に対外投射の光を発生させることができ、且つ収容杯部１４により発光ダイオード１２上部表面上に二次パッケージ成型したレンズ１５内と接着に隙間が存在せず、即ち、光線が空気、レンズ１５、異なる媒介を通過することにより屈折、全反射、光の減衰現象を起こすことを減少することができ、発光ダイオード１２のレンズ１５方向への光の投射の光通過量を向上し、レンズの設計により光源モジュール１が外向きに均一な発光を発生する適用光源を確保する。
【００２６】
また、光源モジュール１が備える回路基板１１は、放熱装置２の基台２１底側上の結合部２２と貼合を形成し、その回路基板１１上に設ける発光ダイオード１２が発光時に発生する熱量を、回路基板１１他側の支持面１１１、結合部２２下方の接触面２２２を介して良好な熱伝導効果を有する基台２１上に伝導し、更に基台２１に環状に設ける複数のフィン２１１を利用し、放熱の表面積を増加し、同時に、熱量を周囲に排出し、発光ダイオード１２が発生する熱量の迅速な導出を補助することができ、これにより熱量が累積、集中し、その使用機能に影響を及ぼすこと、及び使用寿命が短縮すること、又は過度の熱で焼損等の欠陥が発生することを効率的に回避する。
【００２７】
更に、上記本考案の光源モジュール１及び放熱装置２は、コンセント定位フレーム構造３により簡易な組み立てを行い、迅速に分解して、分離構造状態を形成することができ、光源モジュール１の長時間使用後の損壊、交換の問題を解決し、使用者の異なる使用の要求、又はその放熱装置２の型式に応じ、異なる演色性、明度、発光効率の規格又は異なる数量の発光ダイオード１２を有する光源モジュール１を任意に交換又は組み合わせることができ、光源モジュール１が任意に消耗材方式で交換使用を行なうことができるようにし、全体の発光効果又は構造の安定性において、何れも良好な信頼性を有する。
【００２８】
放熱装置２は、複数の放熱片、導熱基台の型式であることができ、その基台２１上に直立状の複数の放熱フィン２１１を環状に設けるか、基台２１が単独設置し、導熱基台型式になることができ、且つ主に、銅、アルミ又はグラファイト等の良好な熱伝導効果を備える材質から形成されることができ、光源モジュール１上に発生する熱量を外部の空気と熱交換させ、迅速に発散を行い、温度冷却等の機能を達成するが、本考案の技術的特徴は、これに限定するものではなく、当該技術を熟知する者なら誰でも、本考案の精神と領域を脱しない均等の範囲内で各種の変動や潤色を加えることができることは勿論である。
【００２９】
図６、図７は、本考案の好適実施例の組み立て時の側面断面図及び組み立て後の局部側面断面図であり、図から分かるように、本考案は、光源モジュール１及びコンセント定位フレーム構造３上にスリーブ５を更に套接し、スリーブ５中空内部に収容空間５０を形成し、収容空間５０内壁面に套接部５１を設け、且つ一側の開口内側に係止面５２を形成し、スリーブ５を光源モジュール１及びコンセント定位フレーム構造３外側に套接することができ、且つ適当なトルクを加え、その套接部５１をコンセント定位フレーム構造３外側周辺上の定位部３６に突き合わせ組み立て、緊密な結合定位を形成し、同時に光源モジュール１を収容空間５０一側の開口外に露出し、係止面５２により収容杯部１４外側周辺上の環凸部１４１に係止し、定位させ、コンセント定位フレーム構造３が備える第１接合部３３、第２接合部３４を収容杯部１４の接合部１６、基台２１の結合部２２上に緊迫させ且つ嵌合し、光源モジュール１及び放熱装置２を安定固定結合させた後、一体にする。
【００３０】
また、上記は、本考案の好適実施例であるだけであり、本考案の権利範囲を制限するものではなく、本考案は、スリーブ５上の套接部５１によりコンセント定位フレーム構造３に備える定位部３６に突き合わせ組み立て、緊密な結合定位状態を形成し、使用者の要求又は設計の違いにより各種結合方式を実施することができ、相互に嵌合する嵌合凸部、嵌合溝又は鎖結合の内ねじ山、外ねじ山等の型式であることができ、スリーブ５を介しコンセント定位フレーム構造３を光源モジュール１及び放熱装置２上に緊迫させ、且つ嵌合し、安定固定結合後に一体にするだけで、光源モジュール１が外力の影響を受ける時に震動し、跳ね開き、放熱装置２外に脱出することを防止する。また、コンセント定位フレーム構造３は、孔３１外側周辺に更に環形回路板３２１（図８参照）を設けることができ、環形回路板３２１表面上に相対する２つの電源プラグ端子３２を設け、且つ電源プラグ端子３２は、スルーホール（Through Hole）方式を利用し、環形回路板３２１上に溶接し、電気接続を形成し、環形回路板３２１を放熱装置２基台２１底側の結合部２２と所定間隔を形成し、電源プラグ端子３２が放熱装置２に係止接触し、短絡が発生することを回避し、前記効果を達成できる形式は、何れも本考案に含まれるべきであり、この種の簡易な修飾及び同等効果をなす構造変化は、何れも本考案の権利範囲内に含まれるべきである。
【符号の説明】
【００３１】
１        光源モジュール
１１      回路基板
１１１    支持面
１１２    回路層
１１３    導熱片
１２      発光ダイオード
１３      接続端子
１４      収容杯部
１４１    環凸部
１５      レンズ
１６      接続部
１６１    嵌合溝
１７      防水パッドリング
１７１    環溝
２        放熱装置
２１      基台
２１１    フィン
２１２    固定孔
２２      結合部
２２１    フック溝
２２２    接触面
２３      溝孔
３        コンセント定位フレーム構造
３１      孔
３２      電源プラグ端子
３２１    環形回路板
３３      第１接合部
３３１    弾性フック片
３４      第２接合部
３４１    弾性フック片
３５      防水剤
３６      定位部
４        電源制御モジュール
４１      制御回路板
４１１    貫通孔
４１２    導熱片
４２      挿入接続部
４３      コネクタ
４３１    導線
４４      殻体
４４１    通孔
４４２    定位部材
４４３    外部電源挿入孔
４５      防水パッドリング
４５１    環溝
５        スリーブ
５０      貫通設置空間
５１      套接部
５２      係止面
【図１】
0003160935.tif 000003
【図２】
0003160935.tif 000004
【図３】
0003160935.tif 000005
【図４】
0003160935.tif 000006
【図５】
0003160935.tif 000007
【図６】
0003160935.tif 000008
【図７】
0003160935.tif 000009
【図８】
0003160935.tif 000010
【手続補正書】
【提出日】平成22年5月6日(2010.5.6)
【手続補正１】
【補正対象書類名】実用新案登録請求の範囲
【補正対象項目名】全文
【補正方法】変更
【補正の内容】
【実用新案登録請求の範囲】
【請求項１】
光源モジュールと、放熱装置と、コンセント定位フレームと、を含み、そのうち、
該光源モジュールが回路基板を有し、回路基板二側表面にそれぞれ支持面を形成し、且つ一側支持面上に少なくとも１つ以上の発光ダイオードを設け、回路基板外側に発光ダイオードを露出させる収容杯部を成型し、且つ収容杯部及び発光ダイオード上部表面上にレンズを成型し、収容杯部外側周辺に接合部を設け、
該放熱装置は、基台を有し、基台底側に結合部及びその下方の回路基板他側の支持面上に貼合できる接触面を設け、
該コンセント定位フレームは、中空内部に回路基板を露出させることができる孔を形成し、コンセント定位フレーム二側周辺箇所にそれぞれ外向きに接合部、結合部と組み立て一体に結合することができる第１接合部、第２接合部を延伸してなるＬＥＤ発光モジュール。
【請求項２】
該光源モジュールの回路基板一側の支持面上に発光ダイオード及びその外側の２つ以上の接続端子を設け、コンセント定位フレームの孔の対応する外側に接続端子内に挿入して電気通導を形成することができる２つの電源プラグ端子を設け、且つ電源プラグ端子は、放熱装置基台上部上に組み立てることができる電源制御モジュールを電気接続し、その電源制御モジュールが備える制御回路上に挿入接続部を設け、挿入接続部内に導線を有するコネクタを挿入接続し、且つ導線が電源プラグ端子上に電気接続し、制御回路板外側に殻体を被覆し、且つ殻体及び基台上部の間に防水パッドリングを設け、光源モジュールの収容杯部外側周辺の接続部上に環形嵌合溝を設け、コンセント定位フレームの第１接合部上に嵌合溝と相対嵌合定位を呈する弾性フック片を設け、収容杯部底部の回路基板外側表面上に防水パッドリングを套接定位できる環溝を設け、且つ回路基板の他側の表面及び放熱装置の結合部の下方の接触面の間に導熱係数の高い導熱片を設けることができる請求項１記載のＬＥＤ発光モジュール。
【請求項３】
前記放熱装置の垂直軸式基台上に直立状の複数のフィンを環状に設け、基台底側の結合部上に環形嵌合溝を設け、コンセント定位フレームの第２接合部表面上に嵌合溝と相対嵌合定位を呈する弾性フック片を設ける請求項１記載のＬＥＤ発光モジュール。
【請求項４】
前記コンセント定位フレーム及び放熱装置底側の結合部の間に防水剤を塗布し、コンセント定位フレーム及び光源モジュール上にスリーブを套接し、且つスリーブ内部の収容空間内壁面に套接部を設け、収容空間一側の開口に内側に係止面を形成し、コンセント定位フレーム外側周辺上に套接部を結合定位させることができる定位部を設け、その套接部及び定位部は、相互に嵌合できる嵌合凸部、嵌合溝又は鎖結合する内ねじ山、外ねじ山であることができ、光源モジュールが設ける収容杯部外側周辺上に係止面と係止定位を形成できる環凸部を設ける請求項１記載のＬＥＤ発光モジュール。
【請求項５】
回路基板と、発光ダイオードと、接続端子と、を含み、そのうち、回路基板一側の支持面上に少なくとも１つの発光ダイオード及びその外側に２つ以上の接続端子を設け、回路基板外側に発光ダイオード及び接続端子を露出させることができる収容杯部を成型し、且つ収容杯部及び発光ダイオード上部表面にレンズを成型し、収容杯部外側周辺に接続部を設けるＬＥＤ発光モジュール。
【請求項６】
前記収容杯部上にコンセント定位フレームを結合し、コンセント定位フレーム中空内部に回路基板を露出させることができる孔を形成し、且つコンセント定位フレーム外側周辺に外向きに接続部と組み立て結合できる第１接合部を延伸し、収容杯部外側周辺の接続部表面上に環形嵌合溝を設け、コンセント定位フレームの第１接合部上に嵌合溝と対応嵌合定位を呈する弾性フック片を設け、収容杯部底部の回路基板外側に相対する表面上に防水パッドリングを被せ設け定位させることができる環溝を凹設する請求項５記載のＬＥＤ発光モジュール。
【請求項７】
前記コンセント定位フレームの孔外側周辺に環形回路板を設け、且つ環形回路板表面上に電源制御モジュールに電気接続を形成させる電源プラグ端子を相対して設け、且つ２つの電源プラグ端子は、回路基板上の接続端子内に突き合わせ挿入接続し、電気通導を形成する請求項６記載のＬＥＤ発光モジュール。